【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
内燃機関から導かれた排ガスによって駆動される過給機の洗浄のための洗浄剤が貯留された洗浄剤貯留部と、
前記内燃機関へ導く圧縮空気が貯留された圧縮空気貯留部と、
該圧縮空気貯留部の前記圧縮空気の一部を前記洗浄剤貯留部へと導く第１配管と、
前記洗浄剤貯留部に貯留された前記洗浄剤を前記圧縮空気とともに前記過給機のタービンへと導く第２配管と、
を備えた過給機洗浄装置であって、
前記圧縮空気貯留部から前記内燃機関へ前記圧縮空気を供給する圧縮空気供給時に、前記第１配管を介して供給された前記圧縮空気によって、前記洗浄剤貯留部に貯留された前記洗浄剤が前記第２配管を介して前記過給機のタービンへと供給されることを特徴とする過給機洗浄装置。
【請求項２】
前記圧縮空気供給時は、前記内燃機関の始動時、又は、前記内燃機関の停止後に残存した排ガスを排出するエアブロー時とされることを特徴とする請求項１に記載の過給機洗浄装置。
【請求項３】
前記第２配管には、前記過給機から前記圧縮空気貯留部へと向かう流れを妨げる逆止弁が設けられていることを特徴とする請求項１又は２に記載の過給機洗浄装置。
【請求項４】
請求項１から３のいずれかに記載された過給機洗浄装置と、
を備えていることを特徴とする過給機。
【請求項５】
請求項４に記載された過給機を備えていることを特徴とする内燃機関。
【請求項６】
内燃機関から導かれた排ガスによって駆動される過給機の洗浄のための洗浄剤が貯留された洗浄剤貯留部と、
前記内燃機関へ導く圧縮空気が貯留された圧縮空気貯留部と、
該圧縮空気貯留部の前記圧縮空気の一部を前記洗浄剤貯留部へと導く第１配管と、
前記洗浄剤貯留部に貯留された前記洗浄剤を前記圧縮空気とともに前記過給機のタービンへと導く第２配管と、
を備えた過給機洗浄装置を用いた過給機の洗浄方法であって、
前記圧縮空気貯留部から前記内燃機関へ前記圧縮空気を供給するエアブロー時に、前記第１配管を介して供給された前記圧縮空気によって、前記洗浄剤貯留部に貯留された前記洗浄剤を、前記第２配管を介して前記過給機のタービンへと供給することを特徴とする過給機の洗浄方法。
【手続補正２】
【補正対象書類名】明細書
【補正対象項目名】００１１
【補正方法】変更
【補正の内容】
【００１１】
上記課題を解決するために、本発明の過給機洗浄装置、これを備えた過給機およびこれを備えた内燃機関、並びに過給機の洗浄方法は以下の手段を採用する。
本発明の過給機洗浄装置は、内燃機関から導かれた排ガスによって駆動される過給機の洗浄のための洗浄剤が貯留された洗浄剤貯留部と、前記内燃機関へ導く圧縮空気が貯留された圧縮空気貯留部と、該圧縮空気貯留部の前記圧縮空気の一部を前記洗浄剤貯留部へと導く第１配管と、前記洗浄剤貯留部に貯留された前記洗浄剤を前記圧縮空気とともに前記過給機のタービンへと導く第２配管と、を備えた過給機洗浄装置であって、前記圧縮空気貯留部から前記内燃機関へ前記圧縮空気を供給する圧縮空気供給時に、前記第１配管を介して供給された前記圧縮空気によって、前記洗浄剤貯留部に貯留された前記洗浄剤が前記第２配管を介して前記過給機のタービンへと供給されることを特徴とする。
【手続補正３】
【補正対象書類名】明細書
【補正対象項目名】００１５
【補正方法】変更
【補正の内容】
【００１５】
さらに、本発明に係る過給機洗浄装置では、前記第２配管には、前記過給機から前記圧縮空気貯留部へと向かう流れを妨げる逆止弁が設けられていることを特徴とする。
【手続補正４】
【補正対象書類名】明細書
【補正対象項目名】００１６
【補正方法】変更
【補正の内容】
【００１６】
第２配管に、過給機から圧縮空気貯留部へと向かう流れを妨げる逆止弁を設けることにより、内燃機関の通常運転時において、過給機側から圧縮空気貯留部へと排ガスが逆流することを防ぐことができる。
【手続補正５】
【補正対象書類名】明細書
【補正対象項目名】００２１
【補正方法】変更
【補正の内容】
【００２１】
さらに本発明に係る過給機の洗浄方法では、内燃機関から導かれた排ガスによって駆動される過給機の洗浄のための洗浄剤が貯留された洗浄剤貯留部と、前記内燃機関へ導く圧縮空気が貯留された圧縮空気貯留部と、該圧縮空気貯留部の前記圧縮空気の一部を前記洗浄剤貯留部へと導く第１配管と、前記洗浄剤貯留部に貯留された前記洗浄剤を前記圧縮空気とともに前記過給機のタービンへと導く第２配管と、を備えた過給機洗浄装置を備えた過給機の洗浄方法であって、前記圧縮空気貯留部から前記内燃機関へ前記圧縮空気を供給するエアブロー時に、前記第１配管を介して供給された前記圧縮空気によって、前記洗浄剤貯留部に貯留された前記洗浄剤が前記第２配管を介して前記過給機のタービンへと供給することを特徴とする。
【手続補正６】
【補正対象書類名】明細書
【補正対象項目名】００２７
【補正方法】変更
【補正の内容】
【００２７】
洗浄対象となる過給機５は、エアクーラ７の上部にステーを介して設けられ、内燃機関１から導かれた排ガスにより回転駆動される図示しないタービンと、一端にタービンが接続された回転軸と、該回転軸の他端に接続された空気圧縮機とを備えている。この空気圧縮機は、タービンによって得られた回転力が回転軸を介して伝達されて回転駆動させられるようになっており、これにより吸込空気を圧縮する。空気圧縮機によって圧縮された圧縮空気は、エアクーラ７にて冷却された後に、内燃機関１へと供給される。
【手続補正７】
【補正対象書類名】明細書
【補正対象項目名】００２８
【補正方法】変更
【補正の内容】
【００２８】
タービンは、排ガスを受けて回転するタービン翼から構成されており、タービンケーシング内に収容されている。タービンケーシングは、内燃機関１の排ガスマニフォールド２から排ガスが導かれる過給機入口４と、タービン翼を通過した排ガスをタービン外へと導く過給機出口６とに対して接続されている。
【手続補正８】
【補正対象書類名】明細書
【補正対象項目名】００３７
【補正方法】変更
【補正の内容】
【００３７】
圧縮空気による内燃機関１の始動が完了すると、制御部１４からの指令によって電磁弁１５が閉とされ、始動用空気タンク１３内に貯留された圧縮空気の供給が停止される。そして、内燃機関１は、図示しない燃料噴射ポンプからの燃料と、過給機５からの圧縮空気とによって通常運転を行う。この通常運転の際に、第２配管９に設けた逆止弁１０によって、過給機５から洗浄粉ホッパー１１ないし始動用空気タンク１３へと向かう流れを防止するようになっている。
【手続補正９】
【補正対象書類名】明細書
【補正対象項目名】００３９
【補正方法】変更
【補正の内容】
【００３９】
以上の通り、本実施形態によれば以下の作用効果を奏する。
主配管３から分岐させて圧縮空気を洗浄粉ホッパー１１へと導き洗浄粉を過給機入口４へと供給することとし、始動時およびエアブロー時に合わせて洗浄粉を過給機５のタービンへと供給することとした。これにより、洗浄剤を噴霧するタイミングを特別なタイミングとして把握する必要がなく、圧縮空気を内燃機関１に導くタイミングに合わせて自動的に洗浄剤を噴霧することが可能となり、過給機５のタービンを健全な状態で保つことができる。
また、洗浄粉を供給するタイミングを得るための過給機５の回転数検出装置等が不要となるため、過給機洗浄装置の構造を、より簡便な構造とすることができる。
【手続補正１０】
【補正対象書類名】明細書
【補正対象項目名】００４２
【補正方法】変更
【補正の内容】
【００４２】
第２配管９に、過給機５から圧縮空気貯留部１３へと向かう流れを妨げる逆止弁１０を設けることとしたので、内燃機関１の通常運転時において、過給機５側から圧縮空気貯留部１３へと排ガスが逆流することを防ぐことができる。
【手続補正１１】
【補正対象書類名】明細書
【補正対象項目名】００４５
【補正方法】変更
【補正の内容】
【００４５】
１  内燃機関
２  排ガスマニフォールド
３  主配管
４  過給機入口
５  過給機
６  過給機出口
７  エアクーラ
８  第１配管
９  第２配管
１０  逆止弁
１１  洗浄粉ホッパー（洗浄剤貯留部）
１２  始動用空気圧縮機
１３  始動用空気タンク（圧縮空気貯留部）
１４  制御部
１５  電磁弁